(57)【要約】【課題】  タッチ入力をした際に入力感が得られる入力機能付き保護パネルを提供する。【解決手段】  入力機能付き保護パネルが、加飾に対応する周縁部に、ドーム状の入力感発生機構を介して間接的接触の有無を検出するスイッチを備えている、あるいは、裏面側基板において、裏面側の前記加飾に対応する周縁部に配置されたドーム状の入力感発生機構を備えている。したがって、タッチ入力をした際に入力感があり、本当に入力できたのかどうか、あるいは誤って入力してしまったのかどうかを触感で確認できるため、いちいち画面を視る必要がなく、操作性が向上した。【選択図】      図３
2011034282.tif 000002
【特許請求の範囲】
【請求項１】
第１の透明抵抗膜、この第１の透明抵抗膜の対辺に位置する一対のバスバー、前記バスバーから引き回し回路を介して接続される一対の第１の端子、が表面側に形成された裏面側基板と、
第２の透明抵抗膜、この第２の透明抵抗膜の対辺に位置する一対のバスバー、前記バスバーから引き回し回路を介して接続される一対の第２の端子、が裏面側に形成され、かつ、表面側の周縁部に加飾が施された表面側基板とを備え、
前記裏面側基板と前記表面側基板とを、前記第１及び第２の透明抵抗膜が空気層により所定間隔を隔てて対向するように、かつ、いずれか一方の一対の前記バスバーが前記透明抵抗膜のＸ軸方向の対辺に位置し、他方の一対の前記バスバーが前記透明抵抗膜のＹ軸方向の対辺に位置するように接着することにより、前記表面側基板に対するタッチ操作に基づいて、操作位置となるＸ−Ｙ座標を電位勾配により検知するアナログ座標入力部を構成してあるタッチ入力機能を備えた保護パネルであって、
さらに、前記加飾に対応する周縁部に、ドーム状の入力感発生機構を介して間接的接触の有無を検出するスイッチを備えた、ことを特徴とする入力感が得られる入力機能付き保護パネル。
【請求項２】
前記表面側基板において、一対の前記バスバーの間隔を広げることにより、前記第２の透明抵抗膜が前記第１の透明抵抗膜との対向領域に隣接する拡大領域を前記加飾が施された部分に有し、
前記裏面側基板において、前記第１の透明抵抗膜と並列になるように引き回し回路を介して前記一対の第１の端子に接続され、前記第２の透明抵抗膜の前記拡大領域と空気層により所定間隔を隔てて対向するように配置された接点と、この接点と前記第２の透明抵抗膜の前記拡大領域との間に介在するドーム状の入力感発生機構とを備え、
前記接点と前記入力感発生機構と前記第２の透明抵抗膜の前記拡大領域とにより、前記裏面側基板および前記表面側基板の一方について前記端子間に電圧を印可した際に、他方の前記端子により検出される電圧に基づいて、前記接点と前記第２の透明抵抗膜の前記拡大領域の間接的接触の有無を検出するスイッチを構成してある、請求項１記載の入力感が得られる入力機能付き保護パネル。
【請求項３】
前記表面側基板において、一対の前記バスバーの間隔を広げることにより、前記第２の透明抵抗膜が前記第１の透明抵抗膜との対向領域に隣接する拡大領域を前記加飾が施された部分に有し、
前記裏面側基板において、前記第１の透明抵抗膜と並列になるように前記一対の第１の端子に接続され、前記第２の透明抵抗膜の前記拡大領域と空気層により所定間隔を隔てて対向するように配置された短冊状の第３の透明抵抗膜と、この第３の透明抵抗膜の対辺に位置しかつ前記バスバーに平行な一対のバスバーと、前記第３の透明抵抗膜と前記第２の透明抵抗膜の前記拡大領域との間に介在するドーム状の入力感発生機構とを備え、
前記短冊状の第３の透明抵抗膜と前記入力感発生機構と前記第２の透明抵抗膜の前記拡大領域とにより、前記裏面側基板および前記表面側基板の一方について前記端子間に電圧を印可した際に、他方の前記端子により検出される電圧に基づいて、前記短冊状の第３の透明抵抗膜と前記第２の透明抵抗膜の前記拡大領域の間接的接触の有無を検出するスイッチを構成してある、請求項１記載の入力感が得られる入力機能付き保護パネル。
【請求項４】
前記表面側基板において、電位差を有するように前記第２の透明抵抗膜に引き回し回路を介して直列に接続される接点を備え、
前記裏面側基板において、電位差を有するように前記第１の透明抵抗膜に引き回し回路を介して直列に接続され、前記表面側基板の前記接点前記と空気層により所定間隔を隔てて対向するように配置された接点と、この接点と前記表面側基板の前記接点との間に介在するドーム状の入力感発生機構とを備え、
前記裏面側基板および前記表面側基板の前記接点により、前記裏面側基板および前記表面側基板の一方について前記端子間に電圧を印可した際に、他方の前記端子により検出される電圧に基づいて、それらの前記接点の間接的接触の有無を検出するスイッチを構成してある、請求項１記載の入力感が得られる入力機能付き保護パネル。
【請求項５】
前記入力感発生機構が、金属製ドームである請求項１〜４のいずれかに記載の入力感が得られる入力機能付き保護パネル。
【請求項６】
前記入力感発生機構が、樹脂製ドームに貫通穴が設けられ、ドーム表裏面を導電体で接続したものである請求項１〜４のいずれかに記載の入力感が得られる入力機能付き保護パネル。
【請求項７】
前記裏面側基板の表面の回路構成と前記表面側基板の裏面の回路構成とを入れ替えたものである請求項１〜６のいずれかに記載の入力感が得られる入力機能付き保護パネル。
【請求項８】
第１の透明抵抗膜、この第１の透明抵抗膜の対辺に位置する一対のバスバー、前記バスバーから引き回し回路を介して接続される一対の第１の端子、が表面側に形成された裏面側基板と、
第２の透明抵抗膜、この第２の透明抵抗膜の対辺に位置する一対のバスバー、前記バスバーから引き回し回路を介して接続される一対の第２の端子、が裏面側に形成され、かつ、表面側の周縁部に加飾が施された表面側基板とを備え、
前記裏面側基板と前記表面側基板とを、前記第１及び第２の透明抵抗膜が空気層により所定間隔を隔てて対向するように、かつ、いずれか一方の一対の前記バスバーが前記透明抵抗膜のＸ軸方向の対辺に位置し、他方の一対の前記バスバーが前記透明抵抗膜のＹ軸方向の対辺に位置するように接着することにより、前記表面側基板に対するタッチ操作に基づいて、操作位置となるＸ−Ｙ座標を電位勾配により検知するアナログ座標入力部を構成してあるタッチ入力機能を備えた保護パネルであって、
さらに、前記裏面側基板において、裏面側の前記加飾に対応する周縁部に配置されたドーム状の入力感発生機構を備えた、ことを特徴とする入力感が得られる入力機能付き保護パネル。
【発明の詳細な説明】
【技術分野】
【０００１】
本発明は、第１の透明抵抗膜、この第１の透明抵抗膜の対辺に位置する一対のバスバー、前記バスバーから引き回し回路を介して接続される一対の第１の端子、が表面側に形成された裏面側基板と、
第２の透明抵抗膜、この第２の透明抵抗膜の対辺に位置する一対のバスバー、前記バスバーから引き回し回路を介して接続される一対の第２の端子、が裏面側に形成され、かつ、表面側の周縁部に加飾が施された表面側基板とを備え、
前記裏面側基板と前記表面側基板とを、前記第１及び第２の透明抵抗膜が空気層により所定間隔を隔てて対向するように、かつ、いずれか一方の一対の前記バスバーが前記透明抵抗膜のＸ軸方向の対辺に位置し、他方の一対の前記バスバーが前記透明抵抗膜のＹ軸方向の対辺に位置するように接着することにより、前記表面側基板に対するタッチ操作に基づいて、操作位置となるＸ−Ｙ座標を電位勾配により検知するアナログ座標入力部を構成してあるタッチ入力機能を備えた保護パネルに関する。
【背景技術】
【０００２】
上記のような保護パネルは、携帯電話機、スマートフォン、ＰＤＡ、カーナビゲーション装置、デジタルカメラ、デジタルビデオカメラ、携帯遊技機、およびタブレット、などの電子機器に備えた表示装置の表示部を保護しながら、表示内容に応じたタッチ入力操作を行えるようにするために、これらの電子機器に備えられており、特許文献１にも開示されている。
【０００３】
また、上記のような保護パネルを備えた電子機器の一例である携帯電話機やスマートフォンなどにおいては、近年、本来の通話機能に加えて電子メール機能やインターネット機能などを備えたものや、それらの機能に加えて撮影機能や音楽再生機能などを備えたものがある。このような多機能化が図られた電子機器においては、それらの機能に応じたスイッチを保護パネルに備えることによって操作性の向上を図ることが考えられており、その一例が特許文献２に開示されている。
【先行技術文献】
【特許文献】
【０００４】
【特許文献１】国際公開第２００５／０６４４５１号パンフレット
【特許文献２】国際公開第２００９／０２５２６９号パンフレット
【発明の概要】
【発明が解決しようとする課題】
【０００５】
しかしながら、特許文献１及び特許文献２に記載の前記入力機能付き保護パネルには、以下のような問題があった。
【０００６】
すなわち、従来の入力機能付き保護パネルは、タッチ入力をした際に入力感が無いため、本当に入力できたのかどうか、あるいは誤って入力してしまったのかどうかは、いちいち画面を視て確認しなければならず、操作性が悪かった。
【０００７】
本発明は、上記のような課題を解決するためになされたもので、タッチ入力をした際に入力感が得られる入力機能付き保護パネルを提供することを目的とする。
【課題を解決するための手段】
【０００８】
本発明は、上記技術的課題を解決するために、以下の構成の入力感が得られる入力機能付き保護パネルを提供する。
【０００９】
本発明の第１態様によれば、第１の透明抵抗膜、この第１の透明抵抗膜の対辺に位置する一対のバスバー、前記バスバーから引き回し回路を介して接続される一対の第１の端子、が表面側に形成された裏面側基板と、
第２の透明抵抗膜、この第２の透明抵抗膜の対辺に位置する一対のバスバー、前記バスバーから引き回し回路を介して接続される一対の第２の端子、が裏面側に形成され、かつ、表面側の周縁部に加飾が施された表面側基板とを備え、
前記裏面側基板と前記表面側基板とを、前記第１及び第２の透明抵抗膜が空気層により所定間隔を隔てて対向するように、かつ、いずれか一方の一対の前記バスバーが前記透明抵抗膜のＸ軸方向の対辺に位置し、他方の一対の前記バスバーが前記透明抵抗膜のＹ軸方向の対辺に位置するように接着することにより、前記表面側基板に対するタッチ操作に基づいて、操作位置となるＸ−Ｙ座標を電位勾配により検知するアナログ座標入力部を構成してあるタッチ入力機能を備えた保護パネルであって、
さらに、前記加飾に対応する周縁部に、ドーム状の入力感発生機構を介して間接的接触の有無を検出するスイッチを備えた、ことを特徴とする入力感が得られる入力機能付き保護パネル。
【００１０】
また、本発明の第２態様によれば、前記表面側基板において、一対の前記バスバーの間隔を広げることにより、前記第２の透明抵抗膜が前記第１の透明抵抗膜との対向領域に隣接する拡大領域を前記加飾が施された部分に有し、
前記裏面側基板において、前記第１の透明抵抗膜と並列になるように引き回し回路を介して前記一対の第１の端子に接続され、前記第２の透明抵抗膜の前記拡大領域と空気層により所定間隔を隔てて対向するように配置された接点と、この接点と前記第２の透明抵抗膜の前記拡大領域との間に介在するドーム状の入力感発生機構とを備え、
前記接点と前記入力感発生機構と前記第２の透明抵抗膜の前記拡大領域とにより、前記裏面側基板および前記表面側基板の一方について前記端子間に電圧を印可した際に、他方の前記端子により検出される電圧に基づいて、前記接点と前記第２の透明抵抗膜の前記拡大領域の間接的接触の有無を検出するスイッチを構成してある、第１態様の入力感が得られる入力機能付き保護パネルを提供できる。
【００１１】
また、本発明の第３態様によれば、前記表面側基板において、一対の前記バスバーの間隔を広げることにより、前記第２の透明抵抗膜が前記第１の透明抵抗膜との対向領域に隣接する拡大領域を前記加飾が施された部分に有し、
前記裏面側基板において、前記第１の透明抵抗膜と並列になるように前記一対の第１の端子に接続され、前記第２の透明抵抗膜の前記拡大領域と空気層により所定間隔を隔てて対向するように配置された短冊状の第３の透明抵抗膜と、この第３の透明抵抗膜の対辺に位置しかつ前記バスバーに平行な一対のバスバーと、前記第３の透明抵抗膜と前記第２の透明抵抗膜の前記拡大領域との間に介在するドーム状の入力感発生機構とを備え、
前記短冊状の第３の透明抵抗膜と前記入力感発生機構と前記第２の透明抵抗膜の前記拡大領域とにより、前記裏面側基板および前記表面側基板の一方について前記端子間に電圧を印可した際に、他方の前記端子により検出される電圧に基づいて、前記短冊状の第３の透明抵抗膜と前記第２の透明抵抗膜の前記拡大領域の間接的接触の有無を検出するスイッチを構成してある、第１態様の入力感が得られる入力機能付き保護パネルを提供できる。
【００１２】
また、本発明の第４態様によれば、前記表面側基板において、電位差を有するように前記第２の透明抵抗膜に引き回し回路を介して直列に接続される接点を備え、
前記裏面側基板において、電位差を有するように前記第１の透明抵抗膜に引き回し回路を介して直列に接続され、前記表面側基板の前記接点前記と空気層により所定間隔を隔てて対向するように配置された接点と、この接点と前記表面側基板の前記接点との間に介在するドーム状の入力感発生機構とを備え、
前記裏面側基板および前記表面側基板の前記接点により、前記裏面側基板および前記表面側基板の一方について前記端子間に電圧を印可した際に、他方の前記端子により検出される電圧に基づいて、それらの前記接点の間接的接触の有無を検出するスイッチを構成してある、第１態様の入力感が得られる入力機能付き保護パネルを提供できる。
【００１３】
また、本発明の第５態様によれば、前記入力感発生機構が、金属製ドームである、第１乃至第４態様いずれかの入力感が得られる入力機能付き保護パネルを提供できる。
【００１４】
また、本発明の第６態様によれば、前記入力感発生機構が、樹脂製ドームに貫通穴が設けられ、ドーム表裏面を導電体で接続したものである、第１乃至第４態様のいずれかの入力感が得られる入力機能付き保護パネルを提供できる。
【００１５】
また、本発明の第７態様によれば、前記裏面側基板の表面の回路構成と前記表面側基板の裏面の回路構成とを入れ替えたものである、第１〜６態様のいずれかの入力感が得られる入力機能付き保護パネルを提供できる。
【００１６】
また、本発明の第８態様によれば、第１の透明抵抗膜、この第１の透明抵抗膜の対辺に位置する一対のバスバー、前記バスバーから引き回し回路を介して接続される一対の第１の端子、が表面側に形成された裏面側基板と、
第２の透明抵抗膜、この第２の透明抵抗膜の対辺に位置する一対のバスバー、前記バスバーから引き回し回路を介して接続される一対の第２の端子、が裏面側に形成され、かつ、表面側の周縁部に加飾が施された表面側基板とを備え、
前記裏面側基板と前記表面側基板とを、前記第１及び第２の透明抵抗膜が空気層により所定間隔を隔てて対向するように、かつ、いずれか一方の一対の前記バスバーが前記透明抵抗膜のＸ軸方向の対辺に位置し、他方の一対の前記バスバーが前記透明抵抗膜のＹ軸方向の対辺に位置するように接着することにより、前記表面側基板に対するタッチ操作に基づいて、操作位置となるＸ−Ｙ座標を電位勾配により検知するアナログ座標入力部を構成してあるタッチ入力機能を備えた保護パネルであって、
さらに、前記裏面側基板において、裏面側の前記加飾に対応する周縁部に配置されたドーム状の入力感発生機構を備えた、ことを特徴とする入力感が得られる入力機能付き保護パネルを提供できる。
【発明の効果】
【００１７】
本発明によれば、入力機能付き保護パネルが、加飾に対応する周縁部に、ドーム状の入力感発生機構を介して間接的接触の有無を検出するスイッチを備えている、あるいは、裏面側基板において、裏面側の前記加飾に対応する周縁部に配置されたドーム状の入力感発生機構を備えているので、タッチ入力をした際に入力感があり、本当に入力できたのかどうか、あるいは誤って入力してしまったのかどうかを触感で確認できるため、いちいち画面を視る必要がなく、操作性が向上した。
【図面の簡単な説明】
【００１８】
【図１】第一実施形態での携帯電話機の斜視図である。
【図２】第一実施形態での保護パネルの構成を示す要部の横断底面図である。
【図３】第一実施形態での保護パネルの構成を示す要部の横断底面図である。
【図４】入力感発生機構の動作を示す斜視図である。
【図５】第一実施形態での裏面側基板の入力感発生機構を除く正面図と表面側基板の背面図である。
【図６】第二実施形態での裏面側基板の入力感発生機構を除く正面図と表面側基板の背面図である。
【図７】第三実施形態での裏面側基板の入力感発生機構を除く正面図と表面側基板の背面図である。
【図８】第一乃至第三実施形態での金属製ドームからなる入力感発生機構の動作を示す模式断面図である。
【図９】第一乃至第三実施形態での樹脂製ドームからなる入力感発生機構の構造を示す模式断面図である。
【図１０】第四実施形態での保護パネルの構成を示す要部の横断底面図である。
【図１１】第四実施形態での樹脂製ドームからなる入力感発生機構の動作を示す模式断面図である。
【発明を実施するための形態】
【００１９】
〔第１実施形態〕
【００２０】
以下、本発明を実施するための最良の形態の一例として、本発明に係る入力機能付き保護パネルＡを、電子機器Ｂの一例である携帯電話機１に適用した第１実施形態を図面に基づいて説明する。なお、最良の形態の説明では各構成要素に図面に基づいて符号を付与しているため、特許請求の範囲で記載している「第１の」、「第２の」、「第３の」などの序数詞は省略する。
【００２１】
電子機器Ｂとしては、携帯電話機１以外に、スマートフォン、ＰＤＡ、携帯音楽プレイヤー、カーナビゲーション装置、デジタルカメラ、デジタルビデオカメラ、携帯遊技機、およびタブレット、などがある。
【００２２】
図１は携帯電話機１の全体斜視図である。図２は携帯電話機１の要部の横断底面図である。これらの図に示すように、携帯電話機１は、合成樹脂製の筐体２に、液晶または有機ＥＬなどの表示部３Ａを有する表示装置３、および、複数の入力キー４、などを備えて構成されている。筐体２は、前面に表示窓２Ａａなどが形成された表側筐体部２Ａと、表示装置３などが装備される裏側筐体部２Ｂとを備えている。保護パネルＡは、表示装置３の表示部３Ａを保護するように表側筐体部２Ａの表示窓２Ａａに備えられている。
【００２３】
表側筐体部２Ａの表示窓２Ａａは、保護パネルＡの嵌め込みを許容する段差を有するように凹入形成されている。表示窓２Ａａの底部は、裏側筐体部２Ｂに装備した表示装置３の表示部３Ａを外部に臨ませる開口２ａと、保護パネルＡを支持する支持枠２ｂとを有するように形成されている。
【００２４】
表示窓２Ａａの形状や大きさは、保護パネルＡの形状や大きさに応じて種々の変更が可能である。表示窓２Ａａの凹入深さは、保護パネルＡの厚みなどに応じて種々の変更が可能である。表示窓２Ａａにおける開口２ａの形状や大きさは、表示部３Ａの形状や大きさなどに応じて種々の変更が可能である。ここでは、表示窓２Ａａ、開口２ａ、表示部３Ａ、および保護パネルＡの形状を矩形状または略矩形状に設定してある。また、表示窓２Ａａの凹入深さを、筐体２の表面と保護パネルＡの表面とが同じ高さになるように設定してある。
【００２５】
保護パネルＡにおけるタッチ入力機能とは、保護パネルＡの表面に対するタッチ操作に基づいて、その操作位置となるＸ−Ｙ座標を電位勾配により検知する機能のことである。
【００２６】
図２、図３及び図５に示すように、保護パネルＡは、表面側に矩形状の透明抵抗膜５Ａが形成された裏面側基板５と、裏面側に矩形状の透明抵抗膜６Ａが形成された表面側基板６とを、それらの透明抵抗膜５Ａ，６Ａの間に空気層を有するように所定間隔を隔てて対向配置することにより構成されている。そして、保護パネルＡにおいて矩形状の透明抵抗膜５Ａ，６Ａが対向する領域がアナログ座標入力部Ａａとして機能する。
【００２７】
図２、図３及び図５の（ａ）に示すように、裏面側基板５には、ポリカーボネート樹脂（ＰＣ）、メタクリル樹脂（ＰＭＭＡ）、アクリロニトリル−スチレン共重合体樹脂（ＡＳ）、アクリロニトリル−ブタジエン−スチレン共重合体樹脂（ＡＢＳ）、セルロースプロピオネート樹脂（ＣＰ）、ポリスチレン樹脂（ＰＳ）、ポリエステル樹脂、ポリエチレン樹脂（ＰＥ）などの透明性、剛性、加工性に優れる樹脂板が採用されている。特に透明性に優れるポリカーボネート樹脂（ＰＣ）やメタクリル樹脂（ＰＭＭＡ）を使用することが好ましい。樹脂板の厚みは、０．５〜３．０ｍｍの範囲から選択することができ、特に１．０ｍｍとすることが好ましい。
【００２８】
また、裏面側基板５には、ソーダーガラス、ホウケイ酸ガラス、強化ガラス、などの強度および透過率に優れるガラス板を採用してもよい。強度に優れるガラス板を採用すると、裏面側基板５の厚みを薄くすることによる保護パネルＡの薄型化、ならびに、その保護パネルＡを備える携帯電話機１の薄型化を図ることができる。ガラス板の厚みは、０．２〜３．０ｍｍの範囲から選択することができ、特に１．０ｍｍとすることが好ましい。
【００２９】
裏面側基板５の周縁部のうち下縁中央部には、裏面側基板５の表面と裏面とにわたって貫通する通電用としての４つの貫通孔５ａ，５ｂが左右方向に所定間隔を隔てて一直線状に整列形成されている。裏面側基板５の表面側には、透明抵抗膜５Ａとともに、当該透明抵抗膜５ＡのＸ軸方向の対辺に位置する平行な一対のバスバー５Ｂ、前記の周囲に位置する引き回し回路５Ｃ、前記バスバー５Ｂに対応する貫通孔５ａの形成箇所に位置する一対の端子５Ｄ、および、枠状の接着層５Ｅ、などが形成されている。
【００３０】
裏面側基板５としては、透明抵抗膜５Ａ、バスバー５Ｂ、引き回し回路５Ｃ、端子５Ｄ、および、枠状の接着層５Ｅ、などを直接、表面側に形成するのではなく、別途、これらを形成しておいた透明絶縁フィルムを裏面側基板５の表面側に貼り付けることにより、裏面側基板５の表面側に、透明抵抗膜５Ａ、バスバー５Ｂ、引き回し回路５Ｃ、端子５Ｄ、および、枠状の接着層５Ｅ、などを備えるように構成してもよい。
【００３１】
透明絶縁フィルムを使用する場合、透明絶縁フィルムには、ポリカーボネート系、ポリアミド系、ポリエーテルケトン系、などのエンジニアリングプラスチック、アクリル系、ポリエチレンテレフタレート系、ポリブチレンテレフタレート系、などの樹脂フィルムを使用することができる。
【００３２】
図２、図３及び図５の（ｂ）に示すように、表面側基板６には、指などで押圧すると撓む性質を有する可撓性透明絶縁フィルムを採用している。可撓性透明絶縁フィルムには、ポリカーボネート系、ポリアミド系、ポリエーテルケトン系、などのエンジニアリングプラスチック、アクリル系、ポリエチレンテレフタレート系、ポリブチレンテレフタレート系、などの樹脂フィルムを使用することができる。
【００３３】
表面側基板６の裏面側には、透明抵抗膜６Ａとともに、透明抵抗膜６ＡのＹ軸方向の対辺に位置する平行な一対のバスバー６Ｂ、当該透明抵抗膜６Ａの周囲に位置する一対の引き回し回路６Ｃ、および、前記バスバー６Ｂに対応する貫通孔５ｂと対向する一対の端子６Ｄ、などが形成されている。表面側基板６の表面側には、デザインシート７が貼り合わせられている。
【００３４】
各透明抵抗膜５Ａ，６Ａは、酸化錫、酸化インジウム、酸化アンチモン、酸化亜鉛、酸化カドミウム、インジウムチンオキサイド（ＩＴＯ）、などの金属酸化物膜、これらの金属酸化物を主体とする複合膜、あるいは、金、銀、銅、錫、ニッケル、アルミニウム、パラジウム、などの金属膜、からなる透明導電膜である。なお、各透明抵抗膜５Ａ，６Ａを２層以上の多層に形成してもよい。各透明抵抗膜５Ａ，６Ａの形成方法には、真空蒸着法、スパッタリング法、イオンプレーティング法、ＣＶＤ法、などがある。
【００３５】
各透明抵抗膜５Ａ，６Ａのうちのいずれか一方の表面に、それらの透明抵抗膜５Ａ，６Ａを対向させた際の誤接触を防止するための複数の微細なドット状のスペーサ８を形成することができる。ここでは、裏面側基板５の透明抵抗膜５Ａに複数のスペーサ８を形成してある。
【００３６】
スペーサ８には、エポキシアクリレート系やウレタンアクリレート系などの透明な光硬化性樹脂や、ポリエステル系やエポキシ系などの透明な熱硬化性樹脂を使用することができる。また、スペーサ８の形成方法には、スクリーン印刷などの印刷法やフォトプロセスなどがある。
【００３７】
各バスバー５Ｂ，６Ｂ、各引き回し回路５Ｃ，６Ｃ、および各端子５Ｄ，６Ｄは、金、銀、銅、ニッケル、などの金属、あるいは、カーボンなどの導電性を有するペーストを用いて形成することができる。各バスバー５Ｂ，６Ｂ、各引き回し回路５Ｃ，６Ｃ、および各端子５Ｄ，６Ｄの形成方法には、スクリーン印刷、オフセット印刷、グラビア印刷、フレキソ印刷、などの印刷法、フォトレジスト法、刷毛塗法、などがある。
【００３８】
各バスバー５Ｂ，６Ｂは、裏面側基板５または表面側基板６のなるべく端部に形成して、裏面側基板５および表面側基板６の中央部に、矩形状の透明抵抗膜５Ａ，６Ａが対向する領域をできるだけ広く確保することが一般的である。矩形状の透明抵抗膜５Ａ，６Ａが対向する領域、つまり、入力エリアや表示エリアの広さや形状は、携帯電話機１などの電子機器Ｂにおける入力エリアや表示エリアの広さや形状に応じて種々の変更が可能である。
【００３９】
デザインシート７には、ポリカーボネート系、ポリアミド系、ポリエーテルケトン系、などのエンジニアリングプラスチック、アクリル系、ポリエチレンテレフタレート系、ポリブチレンテレフタレート系、などの透明フィルム７Ａの裏面側に加飾層７Ｂと接着層７Ｃとが形成されているものを使用することができる。透明フィルム７Ａの厚みは、２５〜２００μｍの範囲から選択することができる。また、その表面側に図示しないハードコート層が形成されていてもよい（図示せず）。
【００４０】
ハードコート層に使用する材料としては、シロキサン系樹脂などの無機材料、あるいはアクリルエポキシ系、ウレタン系の熱硬化性樹脂やアクリレート系の光硬化性樹脂などの有機材料がある。ハードコート層の厚みは、１〜７μｍ程度が適当である。ハードコート層の形成方法には、ロールコート、スプレーコート、などのコート法、スクリーン印刷、オフセット印刷、グラビア印刷、フレキソ印刷、などの通常印刷法などを用いるとよい。
【００４１】
ハードコート層を、裏面側に加飾層７Ｂと接着層７Ｃとが直接形成される透明フィルム７Ａの表面側に直接形成してもよく、また、裏面側に加飾層７Ｂと接着層７Ｃとが直接形成される透明フィルム７Ａとは別の透明フィルムに形成して、それらの両者を貼り合わせてもよい。
【００４２】
加飾層７Ｂは、透明フィルム７Ａの周縁に額縁状に形成されている。加飾層７Ｂの形成部分が加飾部７ｂとなり、矩形状の非形成部分が透明部７ａとなる。透明部７ａの広さや形状は、矩形状の透明抵抗膜５Ａ，６Ａが対向する領域の広さや形状、つまり、携帯電話機１などの電子機器Ｂにおける入力エリアや表示エリアの広さや形状に応じて種々の変更が可能である。
【００４３】
このように加飾層７Ｂを形成することにより、表面側基板６の周縁部６Ｅには、裏面側基板５および表面側基板６の各バスバー５Ｂ，６Ｂなどを覆い隠す加飾が施されることになる。これにより、筐体２の表示窓２Ａに、裏面側基板５および表面側基板６の各バスバー５Ｂ，６Ｂなどを覆い隠すための額縁部を形成する必要がなく、その分、携帯電話機１の薄型化を図ることができる。
【００４４】
加飾層７Ｂには、ポリビニル系樹脂、ポリアミド系樹脂、ポリエステル系樹脂、ポリアクリル系樹脂、ポリウレタン系樹脂、ポリビニルアセタール系樹脂、ポリエステルウレタン系樹脂、アルキド樹脂、などをバインダとし、適切な色の顔料または染料を着色剤として含有する着色インキを用いるとよい。なお、矩形状の透明部７ａは透明インキを用いた加飾層７Ｂが形成されてもよいし、加飾層７Ｂが形成されないことによって透明部７ａとしてもよい。
【００４５】
加飾層７Ｂの形成方法には、スクリーン印刷、オフセット印刷、グラビア印刷、フレキソ印刷、などの通常印刷法などを用いるとよい。特に、多色刷りや階調表現を行うには、オフセット印刷法やグラビア印刷法が適している。
【００４６】
加飾層７Ｂとしては、金属薄膜層からなるもの、あるいは、絵柄印刷層と金属薄膜層との組み合わせからなるものでもよい。金属薄膜層は、加飾層７Ｂとして金属光沢を表現するものであり、真空蒸着法、スパッタリング法、イオンプレーティング法、鍍金法、などにより形成される。この場合、表現したい金属光沢色に応じて、アルミニウム、ニッケル、金、白金、クロム鉄、銅、スズ、インジウム、銀、チタニウム、鉛、亜鉛、などの金属、これらの合金または化合物を使用する。金属薄膜層の膜厚は、０．０５μｍ程度とするのが一般的である。また、金属薄膜層を設ける際に、他の層との密着性を向上させるために、前アンカー層や後アンカー層を設けてもよい。
【００４７】
接着層７Ｃには、感熱性あるいは感圧性の樹脂を適宜使用する。例えば、表面側基板６およびデザインシート７がポリカーボネート系やポリアミド系である場合は、ポリアクリル系樹脂、ポリスチレン系樹脂、ポリアミド系樹脂、などを使用すればよい。また、表面側基板６およびデザインシート７がアクリル系やポリエチレンテレフタレート系である場合は、塩ビ、酢酸ビニル、アクリル系共重合体、などを使用すればよい。
【００４８】
接着層７Ｃの形成方法としては、スクリーン印刷、オフセット印刷、グラビア印刷、フレキソ印刷、などの通常印刷法などを用いるとよい。
【００４９】
裏面側基板５および表面側基板６の各端子５Ｄ，６Ｄは、裏面側基板５の各貫通孔５ａ，５ｂを利用して、裏面側基板５の裏面からポリイミドフィルムの片面に銅箔からなる回路を形成したフィルムからなるフレキシブル・プリント・サーキット（図示せず）により表示装置３のインターフェース（図示せず）に通電接続されている。
【００５０】
各貫通孔５ａ，５ｂには、導電ペーストからなる導電性接着剤が、対応する端子５Ｄ，６Ｄに通電可能に接するように注入され、フレキシブル・プリント・サーキットの端部に立設された導電ピンが導電性接着剤に通電可能に接するように差し込まれている。
【００５１】
導電ピン付きフレキシブル・プリント・サーキットに代えて、スプリングコネクターピンなどを用いてもよい。
【００５２】
図５の（ｂ）に示すように、表面側基板６において、透明抵抗膜６Ａは、一対のバスバー６Ｂの間隔を下辺側に広げることにより、透明抵抗膜５Ａとの対向領域６Ａａの下辺に隣接する拡大領域６Ａｂを有するように形成されている。そして、表面側基板６における一対の端子６Ｄに対する引き回し回路６Ｃは、一対のバスバー６Ｂからそれぞれ最短の経路を通るように形成されている。
【００５３】
図５の（ａ）に示すように、裏面側基板５においては、拡大領域６Ａｂに対向する部分に、３つの接点５Ｇと２つの抵抗体５Ｈとが、Ｘ軸方向にかつ隣接する接点５Ｇの間に抵抗体５Ｈが位置するように所定間隔を隔てて形成されている。そして、裏面側基板５における一対の端子５Ｄに対する引き回し回路５Ｃは、透明抵抗膜５Ａと３つの接点５Ｇおよび２つの抵抗体５Ｈとが並列になるような回路部分５Ｃａを有するように形成されている。
【００５４】
そして、図３に示すように、各接点５Ｇと透明抵抗膜６Ａの拡大領域６Ａｂとの間には、接点５Ｇ上を指などで押圧したときに上下の導通を図るとともに入力感を得ることができるように入力感発生機構９がそれぞれ形成されている。入力感発生機構９は、図３に示すように表面側基板６に向かって突出するドーム状のものであり、図４に示すようにドーム表面に指などにより圧縮荷重を受けるとドームが座屈変形し、圧力が解除されると再び元のドーム状に戻る性質を備えている。この座屈変形する際に衝撃が発生し、これを指などが感知して入力感（クリック感触）が達成されるものである。
【００５５】
入力感発生機構９は、上下の導通を図らなければならないため、金属製ドームや、図９に示すように樹脂製ドーム９Ａに貫通穴９Ｂが設けられてドーム表裏面を導電体９Ｃで接続したものを用いるとよい。
【００５６】
各接点５Ｇは、裏面側基板５と表面側基板６とを接着した際に、拡大領域６Ａｂと所定間隔を隔てて対向するように配置されている。裏面側基板５の接着層５Ｅは、対向する接点５Ｇと拡大領域６Ａｂとの入力感発生機構９を介した間接的な接触を可能にする開口５Ｅａを有するように形成されている。
【００５７】
つまり、対向する接点５Ｇ，拡大領域６Ａｂ及びその間に介在する入力感発生機構９により、裏面側基板５および表面側基板６の一方の端子５Ｄ（６Ｄ）間に電圧を印可した際に、他方の端子６Ｄ（５Ｄ）により検出される電圧に基づいて、それらの接点５Ｇ，拡大領域６Ａｂの間接的な接触の有無を検出するスイッチ１２が構成されている。
【００５８】
このようなスイッチ１２を備えた保護パネルＡにおいては、裏面側基板５の端子５Ｄ間に電圧を印可すると、いずれかのスイッチ１２がタッチ操作されている場合には、表面側基板６の端子６Ｄから出力される電圧の大きさから、タッチ操作されたスイッチ１２のＸ座標を求めることができる。また、透明抵抗膜５Ａ，６Ａが対向するアナログ座標入力部Ａａがタッチ操作されている場合には、表面側基板６の端子６Ｄから出力される電圧の大きさから、アナログ座標入力部Ａａにおけるタッチ操作位置のＸ座標を求めることができる。
【００５９】
次に、表面側基板６の端子６Ｄ間に電圧を印可すると、いずれかのスイッチ１２がタッチ操作されている場合には、裏面側基板５の端子５Ｄから出力される電圧の大きさから、いずれかのスイッチ１２がＯＮ状態であることを認識することができる。また、アナログ座標入力部Ａａがタッチ操作されている場合には、裏面側基板５の端子５Ｄから出力される電圧の大きさから、アナログ座標入力部Ａａにおけるタッチ操作位置のＹ座標を求めることができる。
【００６０】
つまり、いずれかのスイッチ１２がタッチ操作されている場合には、裏面側基板５の端子５Ｄ間に電圧を印可することにより得られたタッチ操作位置のＸ座標と、表面側基板６の端子６Ｄ間に電圧を印可することにより得られたタッチ操作のＯＮ情報とから、タッチ操作されたスイッチ１２を特定することができる。また、アナログ座標入力部Ａａがタッチ操作されている場合には、裏面側基板５の端子５Ｄ間に電圧を印可することにより得られたタッチ操作位置のＸ座標と、表面側基板６の端子６Ｄ間に電圧を印可することにより得られたタッチ操作位置のＹ座標とから、アナログ座標入力部Ａａでのタッチ操作位置を特定することができる。
【００６１】
なお、いずれかのスイッチ１２がタッチ操作されているときには、当該タッチ操作されたスイッチ１２においては、入力を達成するとともに入力感発生機構９のドームが座屈変形して衝撃が発生し、これを指などが感知して入力感が得られる（図８参照）。ドーム状の入力感発生機構９を介して間接的接触の有無を検出するスイッチ１２であると、実際の入力の有無と入力感が完全に一致する。すなわち、いずれかのスイッチ１２がタッチ操作をしたときに、実際には入力できなかったにもかかわらず入力感だけ得られたり、逆に実際には入力できているのに入力感が得られない、といったことがない。また、スイッチ１２のための間隔を利用して入力感発生機構９を配置するため、入力感を付与するために厚みが増大しない。
【００６２】
各接点５Ｇは、金、銀、銅、ニッケル、などの金属、あるいは、カーボンなどの導電性を有するペーストを用いて形成することができる。各接点５Ｇの形成方法には、スクリーン印刷、オフセット印刷、グラビア印刷、フレキソ印刷、などの印刷法、フォトレジスト法、刷毛塗法、などがある。
【００６３】
各抵抗体５Ｈは、酸化錫、酸化インジウム、酸化アンチモン、酸化亜鉛、酸化カドミウム、インジウムチンオキサイド（ＩＴＯ）、などの金属酸化物膜、これらの金属酸化物を主体とする複合膜、あるいは、金、銀、銅、錫、ニッケル、アルミニウム、パラジウム、などの金属膜、を用いて形成することができる。各抵抗体５Ｈの形成方法には、真空蒸着法、スパッタリング法、イオンプレーティング法、ＣＶＤ法、などがある。
【００６４】
各入力感発生機構９は、金属製ドームの場合、ステンレス鋼、銅などの薄板金属板を用いて形成することができる。また、導電体付き樹脂製ドームの場合、シリコーンゴム、ウレタンゴム、フッ素ゴムなどの樹脂を用いて形成することができる。樹脂製ドーム９Ａの貫通孔９Ｂにおいてドーム表裏面を接続する導電体９Ｃしては、ステンレス、銅、銀、カーボンなどの材料からなる部材をインサート成形、カシメ、接着して形成するとよい。また、導電性ペーストを貫通孔９Ｂに塗布充填して導電体９Ｃとしてもよい。ドームの外径、高さよび厚みは、入力のストロークや得たいクリック感の程度に応じて適宜設定するとよい。また、各入力感発生機構９は、ドームの周縁底部を図示しない接着剤や粘着剤で裏面側基板５の表面に接着することによって固定される。                                            
【００６５】
また、図１に示すように、デザインシート７は、その加飾層７Ｂの加飾部７ｂにおける各接点５Ｇとの対応箇所に、スイッチ１２を示す絵柄７ｃが形成されている。
【００６６】
以上、第１実施形態の保護パネルＡについて説明したが、本発明はこれに限定されない。例えば、本発明に係るタッチ入力機能を備えた保護パネルＡは、加飾に対応する周縁部に、ドーム状の入力感発生機構を介して間接的接触の有無を検出するスイッチを備えていれば、第１実施形態以外の形態をとることもできる。以下に、他の実施形態について説明する。
【００６７】
〔第２実施形態〕
【００６８】
以下、本発明に係るタッチ入力機能を備えた保護パネルＡを、電子機器Ｂの一例である携帯電話機１に適用した第２実施形態を図面に基づいて説明する。なお、この第２実施形態においては、保護パネルＡにおけるスイッチ１２の構成が第１実施形態と異なり、他の構成については第１実施形態と同じであるから、図６に基づいて、第１実施形態との相違点についてのみ説明する。
【００６９】
図６の（ｂ）は、図５の（ｂ）と同じ図である。図６の（ａ）に示すように、裏面側基板５においては、拡大領域６Ａｂに対向する部分に、第１実施形態のような３つの接点５Ｇと２つの抵抗体５Ｈではなく、短冊状の透明抵抗膜５Ｊが形成されている。そして、裏面側基板５における一対の端子５Ｄに対する引き回し回路５Ｃは、透明抵抗膜５Ａと透明抵抗膜５Ｊとが並列になるように形成されている。
【００７０】
そして、短冊状の透明抵抗膜５Ｊと透明抵抗膜６Ａの拡大領域６Ａｂとの間には、短冊状の透明抵抗膜５Ｊのスイッチ１２となる部分上を指などで押圧したときに上下の導通を図るとともに入力感を得ることができるように入力感発生機構９がスイッチ１２となる部分にそれぞれ形成されている。入力感発生機構９は、第１実施形態と同じものを用いることができる。
【００７１】
短冊状の透明抵抗膜５Ｊは、裏面側基板５と表面側基板６とを接着した際に、拡大領域６Ａｂと空気層により所定間隔を隔てて対向するように配置されている。裏面側基板５の接着層５Ｅは、対向する透明抵抗膜５Ｊと拡大領域６Ａｂとの入力感発生機構９を介した間接的な接触を可能にする開口５Ｅａを有するように形成されている。
【００７２】
つまり、対向する短冊状の透明抵抗膜５Ｊ，拡大領域６Ａｂ及びその間に介在する入力感発生機構９により、裏面側基板５および表面側基板６の一方の端子５Ｄ（６Ｄ）間に電圧を印可した際に、他方の端子６Ｄ（５Ｄ）により検出される電圧に基づいて、それらの短冊状の透明抵抗膜５Ｊ，拡大領域６Ａｂの間接的な接触の有無を検出するスイッチ１２が構成されている。このようにスイッチ１２を構成すると、第１実施形態と同じ効果が得られる。
【００７３】
短冊状の透明抵抗膜５Ｊは、酸化錫、酸化インジウム、酸化アンチモン、酸化亜鉛、酸化カドミウム、インジウムチンオキサイド（ＩＴＯ）、などの金属酸化物膜、これらの金属酸化物を主体とする複合膜、あるいは、金、銀、銅、錫、ニッケル、アルミニウム、パラジウム、などの金属膜、からなる透明導電膜である。なお、透明抵抗膜５Ｊを２層以上の多層に形成してもよい。透明抵抗膜５Ｊの形成方法には、真空蒸着法、スパッタリング法、イオンプレーティング法、ＣＶＤ法、などがある。
【００７４】
また、図１に示すように、デザインシート７は、その加飾層７Ｂの加飾部７ｂにおける接着層５Ｅの開口５Ｅａとの対応箇所に、スイッチ１２を示す絵柄７ｃが形成されている。
【００７５】
〔第３実施形態〕
【００７６】
以下、本発明に係るタッチ入力機能を備えた保護パネルＡを、電子機器Ｂの一例である携帯電話機１に適用した第３実施形態を図面に基づいて説明する。
【００７７】
なお、この第３実施形態においては、保護パネルＡにおけるスイッチ１２の構成が第１実施形態と異なり、他の構成については第１実施形態と同じであるから、図７に基づいて、第１実施形態との相違点についてのみ説明する。
【００７８】
図７の（ａ）に示すように、裏面側基板５の周縁部のうち左下縁部には、裏面側基板５の表面と裏面とにわたって貫通する通電用としての４つの貫通孔５ａ，５ｂが左右方向に所定間隔を隔てて一直線状に整列形成されている。裏面側基板５の表面側には、透明抵抗膜５Ａとともに、当該透明抵抗膜５ＡのY軸方向の対辺に位置する平行な一対のバスバー５Ｂ、抵抗膜５Ａの周囲に位置する一対の引き回し回路５Ｃ、一対の端子５Ｄ、および、枠状の接着層５Ｅ、などが形成されている。
【００７９】
図７の（ｂ）に示すように、表面側基板６の裏面側には、透明抵抗膜６Ａとともに、透明抵抗膜６ＡのＸ軸方向の対辺に位置する平行な一対のバスバー６Ｂ、当該透明抵抗膜６Ａの周囲に位置する一対の引き回し回路６Ｃ、および、対応する貫通孔５ｂと対向する一対の端子６Ｄ、などが形成されている。
【００８０】
裏面側基板５および表面側基板６のそれぞれにおける一対の引き回し回路５Ｃ，６Ｃは、一方の引き回し回路５Ｃ，６Ｃが、対応するバスバー５Ｂ，６Ｂと端子５Ｄ，６Ｄとにわたって最短の経路を通るように形成せれている。他方の引き回し回路５Ｃ，６Ｃは、裏面側基板５および表面側基板６の下縁に沿う回路部分５Ｃａ，６Ｃａを有するように形成されている。それらの各回路部分５Ｃａ，６Ｃａには、３つの接点５Ｇ，６Ｇと２つの抵抗体５Ｈ，６Ｈとが、隣接する接点５Ｇ，６Ｇの間に抵抗体５Ｈ，６Ｈが位置するように所定間隔を隔てて形成されている。
【００８１】
つまり、裏面側基板５および表面側基板６には、それらの抵抗膜５Ａ，６Ａに電位差を有するように対応する引き回し回路５Ｃ，６Ｃを介して直列に接続される３つの接点５Ｇ，６Ｇが備えられている。
【００８２】
そして、接点５Ｇと接点６Ｇとの間には、接点５Ｇ，６Ｇ上を指などで押圧したときに上下の導通を図るとともに入力感を得ることができるように入力感発生機構９がそれぞれ形成されており、裏面側基板５の接着層５Ｅは、対向する接点５Ｇと接点６Ｇとの入力感発生機構９を介した間接的な接触を可能にする開口５Ｅａを有するように形成されている。
【００８３】
各接点５Ｇ，６Ｇは、裏面側基板５と表面側基板６とを接着した際に、対応する接点５Ｇ，６Ｇが空気層により所定間隔を隔てて対向するように配置されている。裏面側基板５の接着層５Ｅは、対向する接点５Ｇ，６Ｇの入力感発生機構９を介した間接的な接触を可能に開口５Ｅａを有するように形成されている。
【００８４】
つまり、対向する接点５Ｇ，接点６Ｇ及びその間に介在する入力感発生機構９により、裏面側基板５および表面側基板６の一方の端子５Ｄ（６Ｄ）間に電圧を印可した際に、他方の端子６Ｄ（５Ｄ）により検出される電圧に基づいて、それらの接点５Ｇ，接点６Ｇの間接的な接触の有無を検出するスイッチ１２が構成されている。このようにスイッチ１２を構成すると、第１実施形態と同じ効果が得られる。
【００８５】
〔第４実施形態〕
【００８６】
以下、本発明に係るタッチ入力機能を備えた保護パネルＡを、電子機器Ｂの一例である携帯電話機１に適用した第４実施形態を図面に基づいて説明する。
【００８７】
なお、この第４実施形態においては、保護パネルＡにおける入力感発生機構９の形成箇所が第１乃実施形態と異なり、他の構成については第１実施形態と同じであるから、図１０に基づいて、第１実施形態との相違点についてのみ説明する。
【００８８】
図１０は携帯電話機１の要部の横断底面図である。これらの図に示すように、裏面側基板５においては、第１乃至第３実施形態のような表面側ではなく、裏面側の加飾部７ｂに対応する周縁部にドーム状の入力感発生機構１０が配置されている。
【００８９】
つまり、対向する接点５Ｇ，拡大領域６Ａｂにより、あるいは対向する短冊状の透明抵抗膜５Ｊ，拡大領域６Ａｂにより、裏面側基板５および表面側基板６の一方の端子５Ｄ（６Ｄ）間に電圧を印可した際に、他方の端子６Ｄ（５Ｄ）により検出される電圧に基づいて、それらの接点５Ｇ，拡大領域６Ａｂ接触、あるいは短冊状の透明抵抗膜５Ｊ，拡大領域６Ａｂの接触の有無を検出するスイッチ１２が、入力感発生機構１０を含まずに構成されている。
【００９０】
入力感発生機構１０は、図１０に示すように表側筐体部２Ａの保護パネルＡを支持する支持枠２ｂに向かって突出するドーム状のものである。いずれかのスイッチ１２がタッチ操作されているときには、保護パネルＡ全体が表側筐体部２Ａの支持枠２ｂに向かって押し付けられるため、入力感発生機構１０のドームが座屈変形して衝撃が発生し、これを指などが感知して入力感が得られる（図１１参照）。また、入力感発生機構１０は、保護パネルＡの角部、辺部等の加飾部７ｂに対応する周縁部の随意の場所に配置することができ、配置数は１個以上である。なお、この場合には第１乃至第３実施形態と異なり、実際の入力の有無と入力感が完全には一致しない。
【００９１】
〔別実施形態〕
【００９２】
（１）  保護パネルＡに備えるスイッチ１２の数量は種々の変更が可能である。例えば、保護パネルＡに、単一のスイッチ１２からなる列を備えるようにしてもよく、また、２つあるいは４つ以上のスイッチ１２からなる列を備えるようにしてもよい。そして、複数のスイッチ１２が複数の前記接点５Ｇにて構成される場合は、当該接点５Ｇ間にはそれぞれ抵抗体５Ｈを備えるようにする。
【００９３】
なお、単一のスイッチ１２を備えた保護パネルＡにおいては、第１および第２実施形態と異なり、いずれのスイッチ１２がタッチ操作されているのかを特定するわけではない。つまり、この場合は、表面側基板６の端子６Ｄ間に電圧を印可することによって得られた裏面側基板５の端子５Ｄから出力される電圧の大きさから、スイッチ１２のＯＮ／ＯＦＦを認識するだけとなる。
【００９４】
（２）また、保護パネルＡが備えるスイッチ１２の配置は下記の変更が可能である。例えば、保護パネルＡの上下両縁に沿うようにスイッチ１２を形成するようにしてもよい。つまり、前記透明抵抗膜６Ａが前記透明抵抗膜５Ａとの対向領域６Ａａを挟むように前記拡大領域６Ａｂを二箇所有し、いずれの前記拡大領域６Ａｂについても、対向する前記接点５Ｇあるいは短冊状透明抵抗膜５Ｊを備えた構成とする。また、保護パネルＡの上縁のみにスイッチ１２を形成するようにしてもよい。
【００９５】
また、保護パネルＡの上下の一側縁に複数列のスイッチ１２を備えるようにしてもよい。つまり、前記接点５Ｇを含む前記透明抵抗膜５Ａと並列な回路部分が、二列以上である構成とする。
【００９６】
なお、スイッチ１２を２列以上備えた保護パネルＡにおいては、いずれかのスイッチ１２がタッチ操作されている場合には、第１および第２実施形態と異なり、裏面側基板５の端子５Ｄ間に電圧を印可することにより得られたタッチ操作位置のＸ座標と、表面側基板６の端子６Ｄ間に電圧を印可することにより得られたタッチ操作位置のＹ座標とから、タッチ操作されたスイッチ１２を特定することになる。
【００９７】
（３）また、前記した第１乃至第３実施形態において、前記裏面側基板５の表面の回路構成と前記表面側基板６の裏面の回路構成とを入れ替えてもよい。
【００９８】
本発明は、添付図面を参照しながら好ましい実施形態に関連して充分に記載されているが、この技術の熟練した人々にとっては種々の変形や修正は明白である。そのような変形や修正は、添付した請求の範囲による本発明の範囲から外れない限りにおいて、その中に含まれると理解されるべきである。
【産業上の利用可能性】
【００９９】
本発明は、携帯電話機、スマートフォン、ＰＤＡ、カーナビゲーション装置、デジタルカメラ、デジタルビデオカメラ、携帯遊技機、およびタブレット、などの電子機器等の用途に用いることができ、産業上有用なものである。
【符号の説明】
【０１００】
１  携帯電話機
２  筐体
２Ａ  表側筐体部
２Ａａ  表示窓
２Ｂ  裏側筐体部
３  表示装置
３Ａ  表示部
４  入力キー
５    裏面側基板
５ａ  貫通孔
５ｂ  貫通孔
５ｃ  開口
５Ａ  透明抵抗膜
５Ｂ  バスバー
５Ｃ  引き回し回路
５Ｃａ  回路部分
５Ｄ  端子
５Ｅ  接着層
５Ｅａ  開口
５Ｆ  引き回し回路
５Ｇ  接点
５Ｊ  透明抵抗膜
５Ｋ  端子
６    表面側基板
６ｃ    開口
６Ａ  透明抵抗膜
６Ａａ  対向領域
６Ａｂ  拡大領域
６Ｂ  バスバー
６Ｃ  引き回し回路
６Ｄ  端子
６Ｅ  周縁部
６Ｆ  引き回し回路
６Ｇ  接点
６Ｋ  端子
８  スペーサ
９  入力感発生機構
９Ａ  樹脂製ドーム
９Ｂ  貫通穴
９Ｃ  導電体
１０  入力感発生機構
１２  スイッチ
Ａ  保護パネル
Ａａ  アナログ座標入力部
Ｂ  電子機器
【図１】
2011034282.tif 000003
【図２】
2011034282.tif 000004
【図３】
2011034282.tif 000005
【図４】
2011034282.tif 000006
【図５】
2011034282.tif 000007
【図６】
2011034282.tif 000008
【図７】
2011034282.tif 000009
【図８】
2011034282.tif 000010
【図９】
2011034282.tif 000011
【図１０】
2011034282.tif 000012
【図１１】
2011034282.tif 000013